(57)【要約】【課題】シーケンシャルな表示が可能な電気泳動表示装置の駆動方法、電気泳動表示装置、電子機器を提供すること。【解決手段】タッチパネルに位置情報が入力される操作入力期間において、複数の走査線に対して同時に走査信号を供給して当該走査線に接続された画素を選択し、タッチパネル信号をメモリ回路にデータ線及び画素スイッチング素子を介して供給することとしたので、タッチパネル信号による表示の書き込みのレスポンスを向上させることができる。【選択図】図１７
2010145795.tif 000002
【特許請求の範囲】
【請求項１】
一対の基板間に電気泳動粒子を含んだ電気泳動素子を挟持してなり、一方の前記基板には画素ごとに第１電極が形成され、他方の前記基板には複数の前記画素に共通の第２電極が形成され、前記画素は、第１方向に沿って複数配列された走査線及び第２方向に沿って設けられたデータ線に接続された画素スイッチング素子と、前記画素スイッチング素子に接続されたメモリ回路と、前記メモリ回路と前記第１電極との間に設けられたスイッチ回路とを備えており、前記スイッチ回路には、第１制御線と第２制御線とが接続されており、タッチパネルが設けられた電気泳動表示装置の駆動方法であって、
前記タッチパネルに位置情報が入力される操作入力期間に、
前記メモリ回路からの出力に基づいて前記スイッチ回路を動作させることで前記第１制御線又は前記第２制御線と前記第１電極とを接続し、前記第１制御線の電位を第１電位とし前記第２制御線の電位を第２電位とし、
前記第２電極の電位を前記第１電位にさせた状態で複数の前記走査線に対して同時に走査信号を供給して当該走査線に接続された前記画素を選択し、前記タッチパネルに入力された前記位置情報の軌跡を前記電気泳動素子に表示させるタッチパネル信号を含む画像信号を、選択された前記画素の前記メモリ回路に、前記データ線及び前記画素スイッチング素子を介して入力するステップを実行する
ことを特徴とする電気泳動表示装置の駆動方法。
【請求項２】
前記ステップでは、複数の前記走査線のうち、前記タッチパネルに入力された前記位置情報又はその近傍の位置に対応する前記画素に接続された前記走査線から前記走査信号を供給する
ことを特徴とする請求項１に記載の電気泳動表示装置の駆動方法。
【請求項３】
前記操作入力期間の後、前記第１制御線の電位を前記第１電位よりも高い第３電位とするコントラスト上昇期間を有する
ことを特徴とする請求項１又は請求項２に記載の電気泳動表示装置の駆動方法。
【請求項４】
前記ステップでは、
前記位置情報の軌跡が前記走査線の配列方向に対して傾く場合、前記走査線の前記配列方向と前記位置情報の軌跡の方向とに応じて、同時に前記走査信号を供給する前記走査線の本数を調整する
ことを特徴とする請求項１から請求項３のうちいずれか一項に記載の電気泳動表示装置の駆動方法。
【請求項５】
前記操作入力期間に、前記ステップを複数回連続して実行する
ことを特徴とする請求項１から請求項４のうちいずれか一項に記載の電気泳動表示装置の駆動方法。
【請求項６】
一対の基板間に電気泳動粒子を含んだ電気泳動素子を挟持してなり、一方の前記基板には画素ごとに第１電極が形成され、他方の前記基板には複数の前記画素に共通の第２電極が形成され、前記画素は、第１方向に沿って複数配列された走査線及び第２方向に沿って設けられたデータ線に接続された画素スイッチング素子と、前記画素スイッチング素子に接続されたメモリ回路と、前記メモリ回路と前記第１電極との間に設けられたスイッチ回路とを備えており、前記スイッチ回路には、第１制御線と第２制御線とが接続されており、タッチパネルが設けられた電気泳動表示装置であって、
前記タッチパネルに位置情報が入力される操作入力期間に、
前記メモリ回路からの出力に基づいて前記スイッチ回路を動作させることで前記第１制御線又は前記第２制御線と前記第１電極とを接続し、前記第１制御線の電位を第１電位とし前記第２制御線の電位を第２電位とし、
前記第２電極の電位を前記第１電位にさせた状態で複数の前記走査線に対して同時に走査信号を供給して当該走査線に接続された前記画素を選択し、前記タッチパネルに入力された前記位置情報の軌跡を前記電気泳動素子に表示させるタッチパネル信号を含む画像信号を、選択された前記画素の前記メモリ回路に、前記データ線及び前記画素スイッチング素子を介して入力するステップを実行させる制御装置を有する
ことを特徴とする電気泳動表示装置。
【請求項７】
前記制御装置は、複数の前記走査線を同時に選択可能な走査線駆動回路を有する
ことを特徴とする請求項６に記載の電気泳動表示装置。
【請求項８】
前記走査線駆動回路は、複数の前記走査線の順次選択動作を開始させるスタートパルスが入力されるスタートパルス入力端子を複数有している
ことを特徴とする請求項７に記載の電気泳動表示装置。
【請求項９】
前記走査線駆動回路は、複数の前記走査線の配列方向について双方向に前記走査線を順次選択可能に設けられている
ことを特徴とする請求項７又は請求項８に記載の電気泳動表示装置。
【請求項１０】
請求項７から請求項９のうちいずれか一項に記載の電気泳動表示装置を備えることを特徴とする電子機器。
【発明の詳細な説明】
【技術分野】
【０００１】
本発明は、電気泳動表示装置の駆動方法、電気泳動表示装置、電子機器に関する。
【背景技術】
【０００２】
電気泳動表示装置は、複数の第１電極（画素電極）と、複数の第１電極と対向する第２電極と、当該電極間に挟持された電気泳動素子とを含んで構成されている。この電気泳動表示装置で画像を表示させるためには、スイッチング素子を介して、メモリ回路に一旦画像信号を記憶させる。メモリ回路で記憶した画像信号を第１電極に入力し、第１電極に電位を与えると、所定の電位が印加されている第２電極との間で電位差が発生する。これによって電気泳動素子を駆動させて、画像を表示させることができる。
【０００３】
メモリ回路としては、ＳＲＡＭ（Static Random Access Memory）を用いたＳＲＡＭ方式や、コンデンサを用いたＤＲＡＭ（Dynamic Random Access Memory)方式などが用いられている（例えば、特許文献１参照）。  
【０００４】
電気泳動表示装置に画像を表示させるためには、電気泳動素子を挟持する電極の間に十分な電位差を与えて電気泳動粒子を一方の電極に移動させる必要があり、このためにメモリ回路の電源電圧は１０Ｖ以上が必要であった。また、このとき、隣り合う画素で異なった色を表示していると、隣り合う画素の第１電極（画素電極）には異なった電位が入力されていることになる。
【０００５】
そのため、隣り合う第１電極間において、大きな電位差が発生しているため、電気泳動素子を基板に固定している接着剤などを介して、隣り合う第１電極間でリーク電流が発生する恐れがあった。このリーク電流は、１画素あたりの電流値が小さくても、電気泳動表示装置の表示部全体としては大きくなり、消費電力の増大につながってしまうという問題があった。
【０００６】
また、リーク電流の発生によって第１電極が化学反応を起こしてしまう懸念もあり、電気泳動表示装置としての信頼性が損なわれてしまう恐れもあった。そこで、例えば金、白金などの化学的に安定で腐食に強い材質を第１電極に用いることによって、信頼性を向上させることも考えられるが、この場合、製造コストが増大してしまうという問題があった。
【０００７】
このような課題を解決しうる手段として、スイッチ回路による画素電極電位の制御を可能にした電気泳動表示装置がは提案されている（特許文献２参照）。この電気泳動表示装置によれば、リークを抑えることができ、制御線による表示の制御が可能である。  
【特許文献１】特開２００３−８４３１４号公報
【特許文献２】特開２００８−２６８８５３号公報
【発明の開示】
【発明が解決しようとする課題】
【０００８】
しかしながら、上記電気泳動表示装置においては、画素へのデータの書き込みと、当該データに応じた画素電極への電位の供給とが異なるタイミングで行うわれるため、シーケンシャル表示を行うことができないという問題点がある。本発明は、この問題点に鑑みてなされたものであり、本発明の奏する効果の一つにより、シーケンシャル表示を行うことが可能となる。
【課題を解決するための手段】
【０００９】
上記目的を達成するため、本発明に係る電気泳動表示装置の駆動方法は、一対の基板間に電気泳動粒子を含んだ電気泳動素子を挟持してなり、一方の前記基板には画素ごとに第１電極が形成され、他方の前記基板には複数の前記画素に共通の第２電極が形成され、前記画素は、第１方向に沿って複数配列された走査線及び第２方向に沿って設けられたデータ線に接続された画素スイッチング素子と、前記画素スイッチング素子に接続されたメモリ回路と、前記メモリ回路と前記第１電極との間に設けられたスイッチ回路とを備えており、前記スイッチ回路には、第１制御線と第２制御線とが接続されており、タッチパネルが設けられた電気泳動表示装置の駆動方法であって、前記タッチパネルに位置情報が入力される操作入力期間に、前記メモリ回路からの出力に基づいて前記スイッチ回路を動作させることで前記第１制御線又は前記第２制御線と前記第１電極とを接続し、前記第１制御線の電位を第１電位とし前記第２制御線の電位を第２電位とし、前記第２電極の電位を前記第１電位にさせた状態で複数の前記走査線に対して同時に走査信号を供給して当該走査線に接続された前記画素を選択し、前記タッチパネルに入力された前記位置情報の軌跡を前記電気泳動素子に表示させるタッチパネル信号を含む画像信号を、選択された前記画素の前記メモリ回路に、前記データ線及び前記画素スイッチング素子を介して入力するステップを実行することを特徴とする。
【００１０】
本発明によれば、第１制御線及び第２制御線を制御して、画素間のリーク電流を抑え、製品の信頼度を向上させることができる。加えて、本発明によれば、電極間に電位差を生じさせて電気泳動素子を駆動するようにしたので、データ入力の経過に伴って表示を変化させることができる。よって、回路規模の大幅な増加をもたらすことなく、画像をシーケンシャルに表示させることが可能となる。また、本発明では、タッチパネルに位置情報が入力される操作入力期間において、複数の走査線に対して同時に走査信号を供給して当該走査線に接続された画素を選択し、タッチパネル信号をメモリ回路にデータ線及び画素スイッチング素子を介して供給することとしたので、タッチパネル信号による表示の書き込みのレスポンスを向上させることができる。
【００１１】
上記の電気泳動表示装置の駆動方法は、前記ステップでは、複数の前記走査線のうち、前記タッチパネルに入力された前記位置情報又はその近傍の位置に対応する前記画素に接続された前記走査線から前記走査信号を供給することを特徴とする。  
本発明によれば、複数の走査線のうちタッチパネルに入力された位置情報又はその近傍の位置に対応する画素に接続された走査線から走査信号が供給されるので、表示の書き込みのレスポンスを更に向上させることができる。
【００１２】
上記の電気泳動表示装置の駆動方法は、前記操作入力期間の後、前記第１制御線の電位を前記第１電位よりも高い第３電位とするコントラスト上昇期間を有することを特徴とする。  
本発明によれば、操作入力期間の後、第１制御線の電位を第１電位よりも高い第３電位とするコントラスト上昇期間を有することとしたので、第１電極と第２電極との間に印加される電圧をより高くすることができる。これにより、画像信号の入力時ではコントラストが不足した状態であっても所望の表示コントラストに向上させることができる。
【００１３】
上記の電気泳動表示装置の駆動方法は、前記ステップでは、前記位置情報の軌跡が前記走査線の配列方向に対して傾く場合、前記走査線の前記配列方向と前記位置情報の軌跡の方向とに応じて、同時に前記走査信号を供給する前記走査線の本数を調整することを特徴とする。  
本発明によれば、位置情報の軌跡が走査線の配列方向に対して傾く場合、走査線の配列方向と操作軌跡の方向とに応じて、同時に走査信号を供給する走査線の本数を調整することとしたので、位置情報の傾きによらず表示状態を一定にすることができる。
【００１４】
上記の電気泳動表示装置の駆動方法は、前記操作入力期間に、前記ステップを複数回連続して実行することを特徴とする。  
本発明によれば、操作入力期間に上記ステップを複数回連続して実行することとしたので、十分な操作期間を確保することができる。これにより、多様な形態のタッチパネルの操作が可能となる。
【００１５】
本発明に係る電気泳動表示装置は、一対の基板間に電気泳動粒子を含んだ電気泳動素子を挟持してなり、一方の前記基板には画素ごとに第１電極が形成され、他方の前記基板には複数の前記画素に共通の第２電極が形成され、前記画素は、第１方向に沿って複数配列された走査線及び第２方向に沿って設けられたデータ線に接続された画素スイッチング素子と、前記画素スイッチング素子に接続されたメモリ回路と、前記メモリ回路と前記第１電極との間に設けられたスイッチ回路とを備えており、前記スイッチ回路には、第１制御線と第２制御線とが接続されており、タッチパネルが設けられた電気泳動表示装置であって、前記タッチパネルに位置情報が入力される操作入力期間に、前記メモリ回路からの出力に基づいて前記スイッチ回路を動作させることで前記第１制御線又は前記第２制御線と前記第１電極とを接続し、前記第１制御線の電位を第１電位とし前記第２制御線の電位を第２電位とし、前記第２電極の電位を前記第１電位にさせた状態で複数の前記走査線に対して同時に走査信号を供給して当該走査線に接続された前記画素を選択し、前記タッチパネルに入力された前記位置情報の軌跡を前記電気泳動素子に表示させるタッチパネル信号を含む画像信号を、選択された前記画素の前記メモリ回路に、前記データ線及び前記画素スイッチング素子を介して入力するステップを実行させる制御装置を有することを特徴とする。
【００１６】
本発明によれば、第１制御線及び第２制御線を制御して、画素間のリーク電流を抑え、製品の信頼度を向上させることができる。加えて、本発明によれば、電極間に電位差を生じさせて電気泳動素子を駆動するようにしたので、データ入力の経過に伴って表示を変化させることができる。よって、回路規模の大幅な増加をもたらすことなく、画像をシーケンシャルに表示させることが可能となる。また、本発明では、タッチパネルに位置情報が入力される操作入力期間において、複数の走査線に対して同時に走査信号を供給して当該走査線に接続された画素を選択し、タッチパネル信号をメモリ回路にデータ線及び画素スイッチング素子を介して供給することとしたので、タッチパネル信号による表示の書き込みのレスポンスを向上させることができる。
【００１７】
上記の電気泳動表示装置は、前記制御装置は、複数の前記走査線を同時に選択可能な走査線駆動回路を有することを特徴とする。  
本発明によれば、制御装置が複数の走査線を同時に選択可能な走査線駆動回路を有することとしたので、当該複数の走査線に対して同時に走査信号を供給する制御を容易に行うことができる。
【００１８】
上記の電気泳動表示装置は、前記走査線駆動回路は、複数の前記走査線の順次選択動作を開始させるスタートパルスが入力されるスタートパルス入力端子を複数有していることを特徴とする。  
本発明によれば、走査線駆動回路には、複数の走査線の順次選択動作を開始させるスタートパルスが入力されるスタートパルス入力端子が複数設けられているので、タッチパネル信号の書き込みに応じて迅速に走査信号を供給することができる。
【００１９】
上記の電気泳動表示装置は、前記走査線駆動回路は、複数の前記走査線の配列方向について双方向に前記走査線を順次選択可能に設けられていることを特徴とする。  
本発明によれば、走査線駆動回路が複数の走査線の配列方向について双方向に走査線を順次選択可能に設けられていることとしたので、走査線駆動回路に高速動作を行わせることなく、迅速なレスポンスが実現可能となる。また、複数の第１電極について電位の供給が常時行われるため、画素間での表示の均一化を図ることができる。
【００２０】
本発明に係る電子機器は、上記の電気泳動表示装置を備えることを特徴とする。  
本発明によれば、タッチパネル信号による表示の書き込みのレスポンスを向上させることができる電気泳動表示装置を備えることとしたので、操作性が高く、より直感的に操作可能な電子機器を得ることができる。
【発明を実施するための最良の形態】
【００２１】
以下に、図面を用いて本発明における電気泳動表示装置１について説明する。図１は本発明の実施形態に係る電気泳動表示装置１の構成図である。電気泳動表示装置１は表示部３と走査線駆動回路（画素駆動部）６と、データ線駆動回路（画素駆動部）７と、共通電源変調回路（電位制御部）８とコントローラ１０とを備えている。
【００２２】
表示部３には、Ｙ軸方向に沿ってＭ個、Ｘ軸方向に沿ってＮ個のマトリクス状に画素２が形成されている。走査線駆動回路６は、表示部３をＸ軸方向に沿って延在する複数の走査線４（Ｙ１、Ｙ２、…、Ｙｍ）を介して画素２に接続されている。走査線駆動回路６は、複数本の走査線４を同時に選択可能に設けられている。
【００２３】
データ線駆動回路７は、表示部３をＹ軸方向に沿って延在する複数のデータ線５（Ｘ１、Ｘ２、…、Ｘｎ）を介して画素２に接続されている。共通電源変調回路８は、第１制御線１１、第２制御線１２、高電位電源線１３、低電位電源線１４及び共通電極電源配線１５を介して画素２に接続されている。走査線駆動回路６、データ線駆動回路７、及び共通電源変調回路８はコントローラ１０により制御される。第１制御線１１、第２制御線１２、高電位電源線１３、低電位電源線１４、及び共通電極電源配線１５は、すべての画素２において共通配線として用いられる。
【００２４】
次に、図２を参照して画素２の詳細な構成について説明する。  
図２に示すように、画素２は、駆動用ＴＦＴ（画素スイッチング素子）２４と、ＳＲＡＭ（メモリ回路）２５と、スイッチ回路３５と、画素電極２１と、共通電極２２と、電気泳動素子２３と、で構成されている。
【００２５】
駆動用ＴＦＴ２４は、例えばＮ−ＭＯＳ（Negative Metal Oxide Semiconductor）トランジスタで構成されており、ゲート電極が走査線４に接続され、ソース電極がデータ線５に接続され、ドレイン電極がＳＲＡＭ２５のデータ入力端子Ｐ１に接続されている。
【００２６】
ＳＲＡＭ２５は、Ｃ−ＭＯＳ(Complementary Metal Oxide Semiconductor)型のＳＲＡＭであり、２個のＰ−ＭＯＳ（Positive Metal Oxide Semiconductor）トランジスタ２５ａ、２５ｂと、２個のＮ−ＭＯＳトランジスタ２５ｃ、２５ｄから構成されている。
【００２７】
Ｐ−ＭＯＳトランジスタ２５ａは、ソース電極が高電位端子ＰＨに接続され、ドレイン電極がデータ入力端子Ｐ１に接続され、ゲート電極がＮ−ＭＯＳトランジスタ２５ｃのゲート電極およびデータ出力端子Ｐ２に接続されている。高電位端子ＰＨは、高電位電源線１３に接続されている。
【００２８】
Ｐ−ＭＯＳトランジスタ２５ｂは、ソース電極が高電位端子ＰＨに接続され、ドレイン電極がデータ出力端子Ｐ２に接続され、ゲート電極がＮ−ＭＯＳトランジスタ２５ｄのゲート電極およびゲート入力端子Ｐ３に接続されている。
【００２９】
Ｎ−ＭＯＳトランジスタ２５ｃは、ソース電極が低電位端子ＰＬに接続され、ドレイン電極がデータ入力端子Ｐ１に接続され、ゲート電極がＰ−ＭＯＳトランジスタ２５ａのゲート電極およびデータ出力端子Ｐ２に接続されている。低電位端子ＰＬは低電位電源線１４に接続されている。
【００３０】
Ｎ−ＭＯＳトランジスタ２５ｄは、ソース電極が低電位端子ＰＬに接続され、ドレイン電極が第１のデータ出力端子Ｐ２に接続され、ゲート電極はＰ−ＭＯＳトランジスタ２５ｂのゲート電極およびデータ出力端子Ｐ３に接続されている。また、データ入力端子Ｐ１とデータ出力端子Ｐ３とが接続されている。
【００３１】
以上のように、ＳＲＡＭ２５は、１ビットの画像データを記憶可能な１入力１出力のメモリ回路であり、データ入力端子Ｐ１に画像データ「１」を規定する画像信号、つまりハイレベルの画像信号が入力された場合、データ出力端子Ｐ２からはローレベルの信号が出力される。
【００３２】
スイッチ回路３５は、第１トランスミッションゲート３６と、第２トランスミッションゲート３７と、から構成されている。第１トランスミッションゲート３６は、Ｎ−ＭＯＳトランジスタ３６ａとＰ−ＭＯＳトランジスタ３６ｂとから構成されており、Ｎ−ＭＯＳトランジスタ３６ａおよびＰ−ＭＯＳトランジスタ３６ｂのソース電極は、信号入力端子Ｐ４を介して第１制御線１１に接続され、Ｎ−ＭＯＳトランジスタ３６ａおよびＰ−ＭＯＳトランジスタ３６ｂのドレイン電極は、信号出力端子Ｐ５を介して画素電極２１に接続されている。また、Ｎ−ＭＯＳトランジスタ３６ａのゲート電極は、ＳＲＡＭ２５のデータ出力端子Ｐ３に接続され、Ｐ−ＭＯＳトランジスタ３６ｂのゲート電極は、ＳＲＡＭ２５のデータ出力端子Ｐ２に接続されている。
【００３３】
第２トランスミッションゲート３７は、Ｎ−ＭＯＳトランジスタ３７ａとＰ−ＭＯＳトランジスタ３７ｂとから構成されており、Ｎ−ＭＯＳトランジスタ３７ａおよびＰ−ＭＯＳトランジスタ３７ｂのソース電極は、信号入力端子Ｐ６を介して第２制御線１２に接続され、Ｎ−ＭＯＳトランジスタ３７ａおよびＰ−ＭＯＳトランジスタ３７ｂのドレイン電極は、信号出力端子Ｐ７を介して画素電極２１に接続されている。また、Ｎ−ＭＯＳトランジスタ３７ａのゲート電極は、ＳＲＡＭ２５のデータ出力端子Ｐ２に接続され、Ｐ−ＭＯＳトランジスタ３７ｂのゲート電極は、ＳＲＡＭ２５のデータ出力端子Ｐ３に接続されている。
【００３４】
ＳＲＡＭ２５に画像データ「１」が記憶され、データ出力端子Ｐ２からローレベルの信号が出力された場合、第１トランスミッションゲート３６がオン状態となり、第１制御線１１を介して信号入力端子Ｐ４に供給された第１駆動信号Ｓ１が信号出力端子Ｐ５から画素電極２１に供給される。一方、ＳＲＡＭ２５に画像データ「０」が記憶され、データ出力端子Ｐ２からハイレベルの信号が出力された場合、第２トランスミッションゲート３７がオン状態となり、第２制御線１２を介して信号入力端子Ｐ６に供給された第２駆動信号Ｓ２が、信号出力端子Ｐ７から画素電極２１に供給される。
【００３５】
画素電極２１は、Ａｌ（アルミニウム）などから形成され、電気泳動素子２３に電圧を印加するものであり、第１トランスミッションゲート３６の信号出力端子Ｐ５および第１トランスミッションゲート３７の信号出力端子Ｐ７と電気的に接続されている。共通電極２２は、画素電極２１の対向電極としての機能を有し、ＭｇＡｇ（マグネシウム銀）、ＩＴＯ（インジウム・スズ酸化物）、ＩＺＯ（インジウム・亜鉛酸化物）などから形成された透明電極であり、共通電位Ｖcomが供給される。電気泳動素子２３は、画素電極２１と共通電極２２との間に狭持されており、これら画素電極２１と共通電極２２間の電位差によって生じる電界により画像を表示させる。
【００３６】
図３は、表示部３における電気泳動表示装置１の部分断面図である。電気泳動表示装置１は、素子基板２８と対向基板２９との間に、複数のマイクロカプセル４０を配列してなる電気泳動素子２３を挟持した構成を備えている。
【００３７】
表示部３において、素子基板２８の電気泳動素子２３側には複数の画素電極２１が配列形成されており、電気泳動素子２３は接着剤層３０を介して画素電極２１と接着されている。対向基板２９の電気泳動素子２３側には複数の画素電極２１と対向する平面形状の共通電極２２が形成されており、共通電極２２上に電気泳動素子２３が設けられている。
【００３８】
素子基板２８は、ガラスやプラスチック等からなる基板であり、画像表示面とは反対側に配置されるため透明なものでなくてもよい。図示は省略しているが、画素電極２１と素子基板２８との間には、図１、図２に示した走査線４、データ線５、画素スイッチング素子２４、ラッチ回路２５、スイッチ回路３５などが形成されている。
【００３９】
対向基板２９はガラスやプラスチック等からなる基板であり、画像表示側に配置されるため透明基板とされる。対向基板２９上に形成された共通電極２２は、ＭｇＡｇ（マグネシウム銀）、ＩＴＯ（インジウム・スズ酸化物）、ＩＺＯ（インジウム・亜鉛酸化物）等の透明導電材料を用いて形成されている。
【００４０】
なお、電気泳動素子２３は、あらかじめ対向基板２９側に形成され、接着剤層３０までを含めた電気泳動シートとして取り扱われるのが一般的である。また、接着剤層３０側には、保護用の剥離紙が貼り付けられている。
【００４１】
製造工程においては、別途製造された、画素電極２１や前記回路などが形成された素子基板２８に対して、剥離紙を剥がした当該電気泳動シートを貼り付けることによって、表示部３を形成している。このため、接着剤層３０は画素電極２１側のみに存在することになる。
【００４２】
図４は、マイクロカプセル４０の模式断面図である。マイクロカプセル４０は、例えば５０μｍ程度の粒径を有しており、内部に分散媒４１と、複数の白色粒子（電気泳動粒子）４２と、複数の黒色粒子（電気泳動粒子）４３とを封入した球状体である。マイクロカプセル４０は、図３に示すように共通電極２２と画素電極２１とで挟持され、１つの画素２０内に１つ又は複数のマイクロカプセル４０が配置されている。
【００４３】
マイクロカプセル４０の外殻部（壁膜）は、ポリメタクリル酸メチル、ポリメタクリル酸エチルなどのアクリル樹脂、ユリア樹脂、アラビアゴムなどの透光性を持つ高分子樹脂などを用いて形成される。
【００４４】
分散媒４１は、白色粒子４２と黒色粒子４３とをマイクロカプセル４０内に分散させる液体である。分散媒４１としては、水、アルコール系溶媒（メタノール、エタノール、イソプロパノール、ブタノール、オクタノール、メチルセルソルブなど）、エステル類（酢酸エチル、酢酸ブチルなど）、ケトン類（アセトン、メチルエチルケトン、メチルイソブチルケトンなど）、脂肪族炭化水素（ぺンタン、ヘキサン、オクタンなど）、脂環式炭化水素（シクロへキサン、メチルシクロへキサンなど）、芳香族炭化水素（ベンゼン、トルエン、長鎖アルキル基を有するベンゼン類（キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼンなど））、ハロゲン化炭化水素（塩化メチレン、クロロホルム、四塩化炭素、１，２−ジクロロエタンなど）、カルボン酸塩などを例示することができ、その他の油類であってもよい。これらの物質は単独又は混合物として用いることができ、さらに界面活性剤などを配合してもよい。
【００４５】
白色粒子４２は、例えば、二酸化チタン、亜鉛華、三酸化アンチモン等の白色顔料からなる粒子（高分子あるいはコロイド）であり、例えば負に帯電されて用いられる。黒色粒子４３は、例えば、アニリンブラック、カーボンブラック等の黒色顔料からなる粒子（高分子あるいはコロイド）であり、例えば正に帯電されて用いられる。
【００４６】
これらの顔料には、必要に応じ、電解質、界面活性剤、金属石鹸、樹脂、ゴム、油、ワニス、コンパウンドなどの粒子からなる荷電制御剤、チタン系カップリング剤、アルミニウム系カップリング剤、シラン系カップリング剤等の分散剤、潤滑剤、安定化剤などを添加することができる。
【００４７】
次に、図１、図２、図５及び図６を参照して、本発明の電気泳動表示装置１の駆動方法及び電気泳動素子２３の動作について説明する。  
図５は、電気泳動表示装置１の駆動方法を示すタイミングチャートである。図６は、図５に示した駆動方法における白色粒子４２、黒色粒子４３の具体的動作を説明する図である。
【００４８】
以下の説明では、表示部３に配列された画素２０のうち、黒表示される画素２０Ｂと、白表示される画素２０Ｗとについて説明する。したがって、図５及び図６では、説明の都合上、各符号に「Ｂ」「Ｗ」の添字を付して示すが、これらの添字は、当該構成要素が画素２０Ｂ、２０Ｗのいずれに属するのかを明確にするものであって他意はない。
【００４９】
図５には、図２に示した走査線４、高電位電源線１３、低電位電源線１４、共通電極２２、画素２０Ｂの画素電極２１Ｂ、及び、画素２０Ｗの画素電極２１Ｗの経時的な電位変化を示している。図５のＶｇは走査線４の電位を、ＶＤＤは高電位電源線１３の電位を、ＶＳＳは低電位電源線１４の電位を、Ｖｃｏｍは共通電極２２の電位を、ＶＢは画素電極２１Ｂの電位を、ＶＷは画素電極２１Ｗの電位をそれぞれ示している。図５における「ＨｉＺ」は、電気的に切断されたハイインピーダンス状態となっていることを表している。
【００５０】
図６には、黒表示の画素２０Ｂと白表示の画素２０Ｗのそれぞれにおける白色粒子４２及び黒色粒子４３の運動態様を示している。  
以下、ハイレベル及びローレベルの電位を具体的に示しつつ説明するが、これらの電位値は一例であり、適宜変更することができる。
【００５１】
まず、図５に示すステップＳ１１において、画素２０の各配線を駆動回路と電気的に接続し、信号入力可能な状態とする。具体的には、走査線４にローレベル（０Ｖ）が入力され、高電位電源線１３にハイレベル（４Ｖ）、低電位電源線１４にローレベル（０Ｖ）がそれぞれ供給される。これにより、ラッチ回路２５が電源オン状態となり、データ線５から入力される画像データを記憶できる状態となる。
【００５２】
次に、ステップＳ１２（画像信号入力ステップ）において、走査線４に選択信号（４Ｖのハイレベル）を一定期間入力する。これにより、画素スイッチング素子２４がオンされ、データ線５からラッチ回路２５に画像データが入力され、ラッチ回路２５は入力された画像データを記憶する。黒表示される画素２０Ｂでは、画像データとしてローレベルが入力され、ラッチ回路２５の出力端子Ｐ２からはハイレベルが出力され、第２トランスミッションゲート３７がオンする。これにより、第２の制御線１２のハイレベル（４Ｖ）が画素電極２１Ｂに印加される。
【００５３】
一方、白表示される画素２０Ｗでは、画像データとしてハイレベルが入力され、ラッチ回路２５の出力端子Ｐ２からローレベルが出力され、第１トランスミッションゲート３６がオンする。これにより、第１の制御線１１のローレベル（０Ｖ）が画素電極２１Ｗに印加される。
【００５４】
その後、ステップＳ１３において、高電位電源線１３の電位を４Ｖから２０Ｖに引き上げる。低電位電源線１４の電位は０Ｖのままである。これにより、黒表示される画素２０Ｂにおいて、ラッチ回路２５Ｂの出力端子Ｐ２から出力される電位がハイレベル（２０Ｖ）に上昇する。黒表示される画素２０Ｂでは、画像データとしてローレベルが入力され、ラッチ回路２５の出力端子Ｐ２からはハイレベルが出力され、第２トランスミッションゲート３７がオンする。これにより、第２の制御線１２のハイレベル（２０Ｖ）が画素電極２１Ｂに印加され、画素電極２１Ｂの電位が４Ｖから２０Ｖのハイレベルに上昇する。なお、白表示される画素２０Ｗでは、画像データとしてハイレベルが入力され、ラッチ回路２５の出力端子Ｐ２からローレベルが出力され、第１トランスミッションゲート３６がオンする。これにより、第１の制御線１１のローレベル（０Ｖ）が画素電極２１Ｗに印加される。したがって画素電極２１Ｗに印加される電位はローレベルのまま変動は生じない。ステップＳ１３は、コントラスト上昇期間に相当する。
【００５５】
ステップＳ１３において、共通電極２２には、ローレベル（０Ｖ）の期間とハイレベル（２０Ｖ）の期間とを繰り返す矩形状の基準パルスを複数周期分（図では４周期分）入力する。以下、このような駆動方法を「コモン振り駆動」と表記する。コモン振り駆動の定義としては、表示画像を書き替える期間において、共通電極２２にハイレベル（Ｈ）の期間とローレベル（Ｌ）の期間とを繰り返すパルスが少なくとも１周期以上印加される駆動方法のことである。
【００５６】
このコモン振り駆動方法によれば、画素電極と共通電極とに印加する電位をハイレベル（Ｈ）とローレベル（Ｌ）との２値により制御可能であるため、低電圧化が図れるとともに、回路構成をシンプルにすることができる。また、各画素電極２１（２１Ｂ、２１Ｗ）のスイッチング素子としてＴＦＴ（Thin Film Transistor）を用いた場合には、低電圧駆動によりＴＦＴの信頼性を確保することができるというメリットがある。
【００５７】
ステップＳ１３における画像表示動作が終了すると、ステップＳ１４に移行する。ステップＳ１４では、高電位電源線１３と、低電位電源線１４と、走査線４とがハイインピーダンス状態となって、各回路がオフ状態となる。したがって、画素電極２１Ｗ、２１Ｂもハイインピーダンス状態となる。
【００５８】
上記ステップＳ１１からＳ１４により、各画素２０における白表示及び黒表示を行うことができる。また、ステップＳ１１〜Ｓ１４を繰り返すことで、表示画像を順次更新することができる。
【００５９】
本実施形態では、上記の駆動方法に加え、ステップＳ１２において走査線４に選択信号（４Ｖのハイレベル）を入力する間、共通電極２２にローレベル（０Ｖ）の期間とハイレベル（４Ｖ）の期間とを繰り返す矩形状の基準パルスを複数周期分入力する動作を行う。このときの画素２０Ｂ及び画素２０Ｗの動作について、コモン振り動作の際の画素２０Ｂ及び画素２０Ｗの動作を参照して説明する。
【００６０】
まず、図６を参照してコモン振り駆動における画素２０Ｂ、２０Ｗの動作について説明する。  
図６（ａ）は、共通電極２２にコモン振り駆動における一周期目のパルスのローレベル（Ｌ；０Ｖ）が印加されたときの態様を示している。画素２０Ｂにおいて、画素電極２１Ｂにはハイレベル（Ｈ；２０Ｖ）が印加され、共通電極２２にローレベル（Ｌ；０Ｖ）が印加されている。したがって、画素電極２１Ｂと共通電極２２との間に縦方向の電界が形成され、正に帯電した黒色粒子４３が共通電極２２に引き寄せられる。その一方で、負に帯電した白色粒子４２は画素電極２１Ｂに引き寄せられる。このとき、画素２０Ｗでは、共通電極２２と画素電極２１Ｗがともにローレベル（Ｌ；０Ｖ）であるため、これらの電極間に電界は形成されず、したがって各粒子は移動しない。
【００６１】
図６（ｂ）は、共通電極２２に一周期目のパルスにおけるハイレベル（Ｈ；２０Ｖ）が印加されたときの態様を示している。画素２０Ｗにおいて、画素電極２１Ｗにはローレベル（０Ｖ）が印加され、共通電極２２にハイレベル（２０Ｖ）が印加されている。したがって、画素電極２１Ｗと共通電極２２との間に縦方向の電界が形成され、負に帯電した白色粒子４２が共通電極２２に引き寄せられる。その一方で、正に帯電した黒色粒子４３は画素電極２１Ｗに引き寄せられる。このとき、画素２０Ｂでは、共通電極２２と画素電極２１Ｂがともにハイレベル（２０Ｖ）であるため、これらの電極間に電界は形成されず、したがって各粒子は移動しない。
【００６２】
図６（ｃ）は、コモン振り駆動における一周期のパルスが印加された直後の態様を示している。画素２０Ｂにおいては、共通電極２２側に黒色粒子４３が集まり、画素電極２１Ｂ側に白色粒子４２が集まっているため、表示面となる共通電極２２側の黒表示が観察される。画素２０Ｗにおいては、共通電極２２側に白色粒子４２が集まり、画素電極２１Ｗ側に黒色粒子４３が集まっているため、表示面となる共通電極２２側の白表示が観察される。
【００６３】
以上が、一周期のパルスにおける駆動態様である。この駆動を複数周期行うことによって白色粒子４２および黒色粒子４３の移動がより確実になされるため、コントラストを高めることができる。なお、コモン振り駆動の周期数、および周波数は、電気泳動素子の仕様や特性に応じて適宜定めることが好ましい。また、白色粒子４２、黒色粒子４３に用いる顔料を、例えば赤色、緑色、青色などの顔料に代えることで、表示部３に赤色、緑色、青色などを表示することができる。
【００６４】
一方、ステップ１２で共通電極２２にローレベル（０Ｖ）の期間とハイレベル（４Ｖ）の期間とを繰り返す矩形状の基準パルスを複数周期分入力する動作において、画素２０Ｂについては、パルス状の信号が入力されている共通電極２２の電位が０Ｖのとき、画素電極２１Ｂと共通電極２２との間に電位差が発生し、黒色粒子４３が共通電極２２に引き寄せられ、白色粒子４２が画素電極２１Ｂに引き寄せられる。その結果、当該画素２０Ｂには黒色が表示される。また、走査線Ｙ１、Ｙ２、・・・、Ｙｍの順次選択に同期して、画像信号の書込の終了した画素の表示が更新される（シーケンシャル表示）。この駆動においては画素電極２１Ｂと共通電極２２との電位差がステップＳ１４の場合に比べて小さく、発生する電界が弱いため、黒色粒子４３及び白色粒子４２の移動がステップＳ１３に比べて緩やかに行われる。この結果、完全な黒色ではなく黒色に近いグレーが表示されることにはなるが、黒色として視認可能な程度に表示が行われることになる。
【００６５】
また、画素２０Ｗについては、パルス状の信号が入力されている共通電極２２の電位が４Ｖのとき、画素電極２１Ｗと共通電極２２との間に電位差が発生し、白色粒子４２が共通電極２２に引き寄せられ、黒色粒子４３が画素電極２１Ｗに引き寄せられる。その結果、当該画素２０Ｂには白色が表示される。走査線Ｙ１、Ｙ２、・・・、Ｙｍの順次選択に同期して、画像信号の書込の終了した画素の表示が更新される（シーケンシャル表示）。この駆動においては、画素電極２１Ｗと共通電極２２との電位差がステップＳ１３の場合に比べて小さく、発生する電界が弱いため、白色粒子４２及び黒色粒子４３の移動がステップＳ１４に比べて緩やかに行われる。この結果、完全な白色ではなく白色に近いグレーが表示されることにはなるが、白色として視認可能な程度に表示が行われることになる。
【００６６】
（表示色の書き換え）  
次に、各画素において表示される色を書き換える際の動作について説明する。  
図７は、表示部３に配列された画素２のうち隣接する３つの画素２Ｘ〜２Ｚを模式的に示した平面図である。本実施形態では、この図７に示すように、画素２Ｘが白色（Ｗ）、画素２Ｙが白色、画素２Ｚが黒色（Ｂ）を表示している状態（以下、「状態（１）」とする）から、画素２Ｘが白色、画素２Ｙが黒色、画素２Ｚが白色を表示している状態（以下、「状態（２）」とする）に変更する場合について説明する。
【００６７】
図８は、画像信号入力期間において、共通電極２２に供給される信号と、画素２Ｘ〜画素２Ｚに供給される信号の波形を示す図である。  
同図に示すように、共通電極２２には、ハイレベルの信号（Ｈ）とローレベルの信号（Ｌ）とが一定時間毎に交互に供給し続ける（Ｖｃｏｍ）。画素２Ｘでは、状態（１）から状態（２）にかけて、白色表示をしたままである。したがって、当該画素２Ｘに属する画素電極には、ローレベルの信号を供給し続ける（ＶＸ）。
【００６８】
画素２Ｙでは、状態（１）から状態（２）にかけて、白色表示から黒色表示へと表示を変更する。したがって、当該画素２Ｙに属する画素電極においては、ローレベルの信号が供給された状態からハイレベルの信号が供給された状態へと変更する（ＶＹ）。この信号の変更のタイミングとしては、図８に示すように、共通電極２２に供給される信号がハイレベルになっている期間内であることが好ましい。
【００６９】
この期間内に画素電極に供給される信号ＶＹをローレベルの信号からハイレベルの信号に切り替えると、共通電極２２に供給される信号がハイレベルの信号からローレベルの信号に切り替わったときに、共通電極２２と画素２Ｙの画素電極との間に電位差が発生することになる。当該電位差によって黒色粒子４３が共通電極に引き寄せられ、白色粒子４２が画素電極に引き寄せられるので、画素２Ｙは黒色表示となる。
【００７０】
画素２Ｚでは、状態（１）から状態（２）にかけて、黒色表示から白色表示へと表示を変更する。したがって、当該画素２Ｚに属する画素電極においては、ハイレベルの信号が供給された状態からローレベルの信号が供給された状態へと変更する（ＶＺ）。この信号の変更のタイミングとしては、図８に示すように、共通電極２２に供給される信号がローレベルになっている期間内であることが好ましい。
【００７１】
この期間内に画素電極に供給される信号ＶＺをハイレベルの信号からローレベルの信号に切り替えると、共通電極２２に供給される信号がローレベルの信号からハイレベルの信号に切り替わったときに、共通電極２２と画素２Ｚの画素電極との間に電位差が発生することになる。当該電位差によって黒色粒子４３が画素電極に引き寄せられ、白色粒子４２が共通電極２２に引き寄せられるので、画素２Ｚは白色表示となる。
【００７２】
表示部全体としてみると、共通電極２２がハイレベルの期間内には、画素電極がローレベルからハイレベルに変化する画素のみを更新する画像信号が書き込まれる。共通電極２２がローレベルの期間内には、画素電極がハイレベルからローレベルに変化する画素の身を更新する画像信号が書き込まれる。したがって、共通電極２２がハイレベルの時に黒色表示を行う画像信号を入力し、ローレベルのときに白色表示を行う画像信号を入力する。
【００７３】
上記のように、本実施形態によれば、第１制御線１１及び第２制御線１２を制御して、画素２間のリーク電流を抑え、製品の信頼度を向上させることができる。加えて、本実施形態によれば、駆動用ＴＦＴ２４を介してＳＲＡＭ２５に画像信号を入力する画像信号入力期間において、ＳＲＡＭ２５からの出力に基づいてスイッチ回路３５を動作させ、第１制御線１１及び第２制御線１３と画素電極２１とを接続し、第１制御線１１の電位をハイレベルとし、第２制御線１２の電位をローレベルとした状態で、共通電極２２の電位をハイレベル及びローレベルに交互に変化させることとしたので、回路規模の大幅な増加をもたらすことなく、画像をシーケンシャルに表示させることが可能となる。
【００７４】
本発明の技術範囲は上記実施形態に限定されるものではなく、本発明の趣旨を逸脱しない範囲で適宜変更を加えることができる。  
例えば、図９及び図１０に示すように、表示部の画素２のうちマトリクスの１ラインに属する画素群Ｙ１〜Ｙ９についての画像信号の入力と同期して共通電極２２の電位を変化させるようにしても構わない。なお、図９及び図１０においては、表示の都合上、表示部の一部の領域（画素群Ｙ１〜Ｙ９）について示すものであり、走査線の延在方向が図中縦方向になっている（図１では横方向）。画素群Ｙ１〜Ｙ９は、図１の走査線の符号にそれぞれ対応している。例えば、図９では、画素群Ｙ１〜Ｙ５に属する画素のＳＲＡＭについて画像信号を入力した状態である。同図では、共通電極２２にローレベルの信号が供給されている。
【００７５】
これに対して、図１０に示すように、画素群Ｙ６に属する画素のＳＲＡＭについて画像信号を入力するのに同期して、共通電極２２にハイレベルの信号を供給するようにする。図９及び図１０では画素群Ｙ６についての場合のみ示したが、画素群Ｙ１〜Ｙ９のうち他の画素群についても同様の駆動を行うようにする。この駆動により、画素群Ｙ１〜Ｙ９毎に共通電極２２のハイレベル、ローレベルが変化するので、画像の書き換えが画素群Ｙ１〜Ｙ９毎に行われることになる。ただし、白色から黒色への変化は画像信号書き込み後に共通電極２２がハイレベルになったときに表示され、黒色から白色への変化は画像書き込み後に共通電極２２がローレベルになったときに表示される。したがって、Ｙ１〜Ｙ９のうち２ラインずつ更新されていくように見える。また、表示部の画素２のうち複数ラインに属する画素群について画像信号の入力と同期させても構わない。
【００７６】
また、図１１に示すように、画素電極２１に供給するハイレベルの電位とローレベルの電位の中間の電位に対して±３０％以内の範囲で共通電極２２の電位を固定させるようにしても良い。図１１の場合、Ｖ１＝Ｖ２であり、Ｖ３≦０．３×Ｖ１、Ｖ４＝０．３×Ｖ２となる範囲で、共通電極２２に供給する信号（Ｖｃｏｍ）を固定させるようにする。これにより、例えば白黒表示におけるグレーなどの中間階調の表示を行うことができる。また、±３０％の範囲であれば、電気泳動表示装置の特性（白色及び黒色の出やすさ）に応じて調整することが可能である。
【００７７】
なお、共通電極２２の電位は、前記中間電位に対して±３０％以内の範囲に限定するものではなく、ハイレベル（Ｈ）及びローレベル（Ｌ）中間の電位にすることであっても良い。この場合、電位のバランスが最も良くなる。
【００７８】
（電子機器）  
次に、本発明に係る電子機器について説明する。  
図１２（ａ）は、本発明に係る電気泳動表示装置１を備えた腕時計４０１の正面図である。
【００７９】
腕時計４０１は、時計ケース４０２と、時計ケース４０２に連結された一対のバンド４０３とを備えている。時計ケース４０２の正面には、本発明に係る電気泳動表示装置１からなる表示装置４０５と、秒針４２１と、分針４２２と、時針４２３とが設けられている。時計ケース４０２の側面には、操作子としての竜頭４１０と操作ボタン４１１とが設けられている。
【００８０】
図１２（ｂ）は、腕時計４０１の側断面図である。時計ケース４０２の内部には収容部４０２Ａが設けられている。収容部４０２Ａには、ムーブメント４０４と表示装置４０５とが収容されている。収容部４０２Ａの一端側（時計正面側）には、ガラス製又は樹脂製の透明カバー４０７が設けられている。収容部４０２Ａの他端側（時計裏側）には、パッキン４０８を介して裏蓋４０９が螺合され、裏蓋４０９及び透明カバー４０７により時計ケース４０２が密封されている。
【００８１】
ムーブメント４０４は、秒針４２１、分針４２２及び時針４２３からなるアナログ指針が連結された運針機構（図示せず）を有している。この運針機構がアナログ指針４２１〜４２３を回転駆動し、設定された時刻を表示する時刻表示部として機能する。
【００８２】
表示装置４０５はムーブメント４０４の時計正面側に配置され、腕時計４０１の表示部を構成する。表示装置４０５の表示面は、ここでは円形状であるが、例えば正八角形状、十六角形状など、他の形状としてもよい。電気泳動表示装置４０５の中央部には、電気泳動表示装置４０５の表裏を貫通する貫通孔４０５Ａが形成されている。貫通孔４０５Ａには、ムーブメント４０４の運針機構（図示せず）の秒車４２４、二番車４２５及び筒車４２６の各軸が挿入されている。各軸の先端には秒針４２１、分針４２２及び時針４２３がそれぞれ取り付けられている。
【００８３】
本発明の電気泳動表示装置は時計以外の電子機器に適用することもできる。  
図１３は電子ペーパー５００の構成を示す斜視図である。電子ペーパー５００は、本発明の電気泳動表示装置を表示部５０１として備えている。電子ペーパー５００は可撓性を有し、従来の紙と同様の質感及び柔軟性を有する書換え可能なシートからなる本体５０２を備えて構成されている。
【００８４】
図１４は、電子ノート６００の構成を示す斜視図である。電子ノート６００は、図１３に示した電子ペーパー５００が複数枚束ねられ、カバー６０１に挟まれているものである。カバー６０１は、例えば外部の装置から送られる表示データを入力する図示は省略の表示データ入力手段を備える。これにより、その表示データに応じて、電子ペーパーが束ねられた状態のまま、表示内容の変更や更新を行うことができる。
【００８５】
以上に説明した腕時計４０１、電子ペーパー５００、及び電子ノート６００は、本発明の電気泳動表示装置を備えていることで、信頼性に優れた表示部を備えたものとなっている。
【００８６】
［ペン入力デバイス（１）］  
次に、本発明の他の実施形態を説明する。本実施形態では、ペン入力デバイスを備える情報処理システム１０００に電気泳動表示装置を搭載した場合を説明する。本実施形態では、ペン入力デバイスにより、電気泳動表示装置の画面全体の表示を変更する場合の処理について説明する。
【００８７】
図１５は、本実施形態に係る情報処理システム１０００を説明するための図である。図示した構成は、ホスト装置７０３と、このホスト装置７０３の処理結果の表示と操作に供されるクライアント装置７０１とでなる。なお、本実施形態では、ホスト装置７０３とクライアント装置７０１とは操作に伴って接続可能とされていて、クライアント装置７０１は、複数のものを交互に用いることができる。ホスト装置７０３では、クライアント装置７０１への操作に伴うイベント駆動型により処理が進められる。
【００８８】
また、本実施形態は、前記ホスト装置と前記クライアント装置との間で信号を送受信する通信手段を備えている。本実施形態の通信手段は、操作ボタン１０９ａ、１０９ｂ、１０９ｃと、ホスト装置７０３側に無線または有線によって設けられ、操作ボタン１０９ａ〜１０９ｃに接触する接触部材であるペン７０２と、クライアント装置７０１の後述する処理部１０３とによって構成される。処理部１０３は、操作ボタン１０９ａ、１０９ｂ、１０９ｃと接触する際に接触した操作ボタンに対応する通信情報を出力する。
【００８９】
なお、本実施形態では、ペン７０２と操作ボタン１０９ａ、１０９ｂ、１０９ｃとが接触（タッチ）する場合にクライアント装置７０１とホスト装置７０３との間で通信がされるよう構成した。しかし、本実施形態はタッチによって通信するものに限定されるものでなく、ごく短い所定の距離以上に両者が近接することによって通信が確保される構成であってもよい。
【００９０】
また、クライアント装置７０１とホスト装置７０３との通信は、操作ボタン１０９ａ〜１０９ｃ及びペン７０２を介するものに限定されるものでなく、通信ケーブルで両者を結合する、あるいは無線ＬＡＮ等を使って常時両者を通信可能にするものであってもよい。
【００９１】
以下、クライアント装置７０１、ホスト装置７０３について各々説明する。
【００９２】
（クライアント装置）  
クライアント装置７０１は、薄型のディスプレイと、このディスプレイに画像（文字及び図画を含む）を表示するための比較的簡易な装置とで構成される。ディスプレイと装置とでなる構成を、本実施形態では以降電子ペーパーと記す。
【００９３】
クライアント装置７０１は、ディスプレイとして機能する記憶性表示体１０１を備えている。記憶性表示体１０１としては、上記の電気泳動表示装置１が好適に用いられる。図１６は、本実施形態に係る記憶性表示体１０１を概略的に示す図である。
【００９４】
図１６に示すように、記憶性表示体１０１に設けられる走査線駆動回路６は、順次選択動作を開始させるスタートパルスが入力されるスタートパルス入力端子２４０を複数有している。スタートパルス入力端子２４０は、例えば走査線駆動回路６の上下方向（走査線４の配列方向）に沿って２列に配置されている。
【００９５】
図中右列（符号６Ａで示す領域）のスタートパルス入力端子２４０にスタートパルスが入力された場合、走査線４は順方向（例えば、図１６の下側から上側）に選択されるようになっている。また、図中左列（符号６Ｂで示す領域）のスタートパルス入力端子２４０にスタートパルスが入力された場合、走査線４は逆方向（例えば、図１６の上側から下側）に選択されるようになっている。このように、本実施形態の走査線駆動回路６は、走査線４を配列方向の双方向に順次選択可能になっている。
【００９６】
また、図中右列のスタートパルス入力端子２４０は、例えば走査線駆動回路６を走査線４の配列方向に４等分したときの各部分の下端部にそれぞれ配置されている。図中左列のスタートパルス入力端子２４０は、各部分の上端部にそれぞれ配置されている。これら複数のスタートパルス入力端子２４０にはスタートパルスが選択的に入力されるようになっている。走査線駆動回路６による走査線４の順次選択動作は、スタートパルスが入力されたスタートパルス入力端子２４０に対応する走査線４から順に行われるようになっている。
【００９７】
また、本実施形態の走査線駆動回路６は、スタートパルスの入力期間が複数周期に跨るようになっている。したがって、本実施形態では、スタートパルスの入力期間には複数本の走査線４が選択されるようになっており、この複数本の走査線４に対して同時に走査信号が入力されるようになっている。
【００９８】
図１５に戻って、本実施形態では、記憶性表示体１０１に透明タッチパネル１８０が設けられている。透明タッチパネル１８０としては、例えば、記憶性表示体１０１上に格子電極を設け、オペレータがタッチした点における通電によって生じる電気抵抗の変化を検出する抵抗膜方式の構成を採用することが考えられる。
【００９９】
また、タッチパネル１８０には、記憶性表示体１０１上で超音波や赤外光を発生する発生部と、透明タッチパネル１８０にペン７０２等がタッチあるいは近接したことによって生じる超音波や赤外光の変化を検知する検知部とを設け、オペレータによって指定された点を超音波や赤外光の遮蔽によって検出する超音波表面弾性波方式や赤外線遮光方式を利用することも考えられる。さらに、オペレータが記憶性表示体１０１に指でタッチしたときに生じる静電容量の変化によってタッチを検出する静電容量方式等を採用することができる。
【０１００】
なお、本実施形態では、透明タッチパネル１８０に検出された位置を示す点を以降タッチ点と記す。また、タッチ点の位置を示す情報を、位置情報とも呼ぶ。
【０１０１】
このような透明タッチパネル１８０は、本実施形態の記憶性表示体１０１上で指定された（入力された）位置情報を検出する、クライアント装置７０１の位置検出手段として機能する。なお、本実施形態でいう、ディスプレイ上で指定された位置情報とは、記憶性表示体１０１上で直接指定された点に限定されるものでなく、記憶性表示体１０１と別体であって、かつ記憶性表示体１０１上の座標と対応する座標が設定されたタッチパネルによって指定された位置情報をも含む。
【０１０２】
また、本実施形態の位置検出手段は、上記したいずれの透明タッチパネルと異なる構成の透明タッチパネルを用いることも可能である。ただし、クライアント装置７０１側における位置検出には特に高い精度が要求されるものではない。したがって、透明タッチパネルの方式については、検出精度と装置の大きさ、コスト、軽量化等をも併せて検討すべきである。
【０１０３】
一方、クライアント装置７０１の操作ボタン１０９ａ、１０９ｂ、１０９ｃは、クライアント装置７０１に対するオペレータの操作の種別に対応して設けられている。操作の種別とは、例えば、記憶性表示体１０１に表示されている画面の書換え（ページ捲り）等をいう。
【０１０４】
操作ボタン１０９ａ〜１０９ｃは、また、後述するホスト装置７０３のペン７０２と共にクライアント装置７０１とホスト装置７０３との間の通信インターフェースになる。この操作ボタン１０９ａ〜ｃとペン７０２との局所的な通信方式としては、赤外線等の光による方式や、電磁波による方式、電磁誘導による方式等が考えられる。本実施例では、光による方式に基づいて説明する。
【０１０５】
すなわち、操作ボタン１０９ａ〜１０９ｃは、赤外線受発光部を備える光通信モジュールを備えている。また、ペン７０２は、赤外線を照射する赤外照射部、照射された赤外線の反射光を受光する赤外線受信部、反射光を赤外線受信部に結像する撮像光学系を備えている。
【０１０６】
また、操作ボタン１０９ａ〜１０９ｃ及びペン７０２は、コイル（給電のための電磁カプリング部（送電部、受電部）を備えている。ペン７０２を操作ボタン１０９ａ〜１０９ｃ上に軽く押圧させる（タッチする）ことによって両者のアンテナコイルが電磁的に結合し、ペン７０２およびホスト装置７０３側から、クライアント装置７０１に電力が供給される。次いで、操作ボタン１０９ａ〜１０９ｃの光通信モジュールと、ペン７０２の赤外線照射部および赤外線受信部とが、通信可能状態となり、タッチした操作ボタンを特定するための信号が発生する。本実施形態では、処理部１０３が発生した信号に対応する通信情報を生成し、ペン７０２を経て通信情報がホスト装置７０３に送達するものとした。
【０１０７】
クライアント装置７０１とホスト装置７０３との間の情報入出力を赤外線で行うようにした本実施形態は、電磁誘導による場合に比べて低消費電力であって、かつ高速(１６Ｍｂｐｓ等)な通信が可能になる。また、電磁カプリングを設けてクライアント装置７０１へ給電する場合の通信への影響を抑えることができる。
【０１０８】
なお、本実施形態では、操作ボタン１０９ａ〜１０９ｃのタッチによって通信可能状態となる一方、操作ボタン１０９ａ〜１０９ｃ以外のクライアント装置７０１上のタッチではホスト・クライアント間の通信が開始されない。このようなクライアント装置７０１の記憶性表示体１０１上の任意位置のタッチでは、位置検出とその結果の保存のみが行われる。
【０１０９】
すなわち本実施形態では、記憶性表示体１０１に座標パターン（位置情報コード）を予め設定しておき、パターンを赤外照射部で照明すると共に赤外線受信部によって記憶性表示体１０１の座標パターンを光学的に読み取ることができる。このような構成によれば、本実施形態は、ペン７０２によりタッチした記憶性表示体１０１上の座標をホスト装置７０３において読み取ることができる。
【０１１０】
また、クライアント装置７０１は、表示データ等を記憶し表示実行するための構成として、不揮発性記憶部１０２、処理部１０３を備えている。不揮発性記憶部１０２は、表示データ１０４の他に、文書データ１０５、処理状態データ１０６、反応マップ１１１を備えることができる。表示データ１０４は、ホスト装置７０３が文書データ１０５を処理した結果表示すべきデータであり、ホスト装置７０３から受信されて記憶性表示体１０１に表示される。処理状態データ１０６は、この際、ホスト装置７０３において行われた文書データ１０５の処理を記録したデータであり、処理の継続の際に参照されるべき処理コンテキスト情報等を含んでいる。さらには、反応マップ１１１は、操作ボタン１０９ａ、１０９ｂ、１０９ｃに対応づけられているコマンドや、記憶性表示体１０１の各座標に表示されている文書要素や対話要素（文字列、画像、リンク情報、実行指図）を示すマップであり、操作に対応して行うべき反応を、ホスト装置７０３の処理状態を再現せずともクライアント装置７０１が抽出して、ホスト装置７０３に実行指示できるように設けられている。なお、反応マップ１１１は、操作ボタン１０９ａ〜１０９ｃに割当てられた所定の指示に関する反応マップと、文書要素の抽出に関する反応マップの二種類を含んでいる。所定の指示に関する反応マップは、所定の動作の実行を指示するものであって、一方、文書要素の抽出に関する反応マップは記憶性表示体１０１の各座標位置に割当てられた文書要素や対話要素（文字列、画像、リンク情報、実行指図）を抽出するためのものである。
【０１１１】
クライアント装置７０１の処理部１０３は、表示実行部１０８、反応抽出部１１２を備えている。表示実行部１０８は、不揮発性記憶部１０２に記憶されている表示データ１０４の更新に応じて記憶性表示体１０１を直接制御し、更新された表示データ１０４を記憶性表示体１０１に表示させる。具体的には、表示実行部１０８は、表示データ１０４を参照し、記憶性表示体１０１のＸドライバ及びＹドライバを駆動することによって記憶性表示体１０１にラスタ画像を表示させる。
【０１１２】
なお、本実施形態では、ＴＦＴ（Thin Film Transistor）方式が採用可能である。
【０１１３】
反応抽出部１１２は、操作ボタン１０９ａ、１０９ｂ、１０９ｃのいずれかが操作されたか、あるいはペン７０２がタッチした点の座標（位置情報）を反応マップ１１１に対照し、コマンドや記憶性表示体１０１に表示されている文書要素や対話要素のデータを抽出する。そして、抽出結果をペン７０２及び操作ボタン１０９ａ〜１０９ｃを介してホスト装置７０３の文書処理部１６０に出力する。
【０１１４】
さらに、本実施形態のクライアント装置７０１は、表示制御部１４０を備えている。表示制御部１４０は、透明タッチパネル１８０によって検出された位置情報に基づいて画像を描画する軌跡処理部１４２、軌跡処理部１４２によって描画された画像とペン７０２及び操作ボタン１０９ａ〜１０９ｃからなる通信インターフェースを介して送信された画像データである表示データ１０４に基づく画像とを重ねてディスプレイに表示する合成・分離部１４１とを備えている。
【０１１５】
以上の構成において、軌跡処理部１４２はクライアント側画像描画手段、合成・分離部１４１はクライアント側画像合成手段として機能する。
【０１１６】
軌跡処理部１４２は、透明タッチパネル１８０によって検出されたタッチ点に相当する記憶性表示体の画素を描画色に変更することによって線等を描画する。すなわち、タッチ点の位置情報の軌跡に相当する画素を描画色に変更することによって描画を行う。描画された線等の画像（線画）は、表示制御部１４０において不揮発性記憶部１０２の表示データ１０４とは別のレイヤの画像（レイヤ画像）として管理される。合成・分離部１４１は、クライアント装置７０１による線画のレイヤ画像とホスト装置７０３による表示データ１０４のレイヤ画像とを重ねて記憶性表示体１０１に表示することによって線画のレイヤ画像と表示データ１０４のレイヤ画像とを合成する。
【０１１７】
また、重ねて表示されているクライアント装置７０１による線画のレイヤ画像とホスト装置７０３による表示データ１０４のレイヤ画像とのいずれか一方を表示しないことによって両者を分離することができる。
【０１１８】
線画のレイヤ画像と表示データ１０４のレイヤ画像とを重ねて表示することにより、本実施形態は、例えば、ホスト装置７０３による表示データ１０４上にマーカや注釈等を追記するような操作感をオペレータに与えることが可能になる。
【０１１９】
なお、軌跡処理部１４２は、透明タッチパネル１８０と記憶性表示体１０１との位置合わせのための補正情報を持つものであってもよい。また、合成・分離部１４１は、例えば連続した軌跡の入力終了確定後、後述するホスト装置７０３による合成画像の確定の際に軌跡処理部１４２によって描画された線図をクリアすることが望ましい。しかしながら、この機能は必須ではなく、ホスト装置７０３による合成画像の更新まで残ったままとするものでもよい。
【０１２０】
また、軌跡処理部１４２は、透明タッチパネル１８０によって検出された位置に基づいて線画を描画する構成に限定されるものでなく、ポインタ等の画像を描画するものであってもよい。このような構成によれば、電子ペーパにおいてもオペレータが目視している位置やコマンドの実行範囲を速やかに示し、情報処理システムの操作性を高めることができる。
【０１２１】
さらに、クライアント装置７０１は、二次電池１３１、操作部１３２を備えている。二次電池１３１は、以上述べた各構成に電力を供給するための電池であって、操作部１３２は、ホスト装置７０３を介することなくクライアント装置７０１に直接入力される指示を入力するための構成である。
【０１２２】
（ホスト装置）  
ホスト装置７０３は、電源１９０、文書処理部１６０、情報サービス部１７０を備えている。ホスト装置７０３は、文書処理部１６０によって表示データ１０４を生成し、生成された表示データ１０４をペン７０２及び操作ボタン１０９ａ〜１０９ｃによってクライアント装置７０１に送信する構成である。
【０１２３】
文書処理部１６０は、情報処理システム全体を制御する構成である。このため、文書処理部１６０は文書応用プログラム１６１を備え、ペン７０２及び操作ボタン１０９ａ〜１０９ｃを介して取得した各種の処理の指示に従って予め記憶されている指示に対応する処理ルーチンを読み出して実行する。文書応用プログラム１６１は、指示内容の判断、内容に対応する処理ルーチンの読出し、実行にかかるプログラムである。
【０１２４】
具体的には、例えば、記憶性表示体１０１に表示中の画像の次ページを表示する指示（ページ捲り）が発生した場合、文書応用プログラム１６１は、記憶性表示体１０１に現在表示されているページに関する情報である処理状態データ１０６と文書データ１０５とをペン７０２及び操作ボタン１０９ａ〜１０９ｃを介して不揮発性記憶部１０２から取得する。そして、処理状態データ１０６と文書データ１０５とに基づいて次ページのレイアウト処理を実行し、次ページの表示データ１０４と反応マップ１１１とを生成する。さらに、ペン７０２及び操作ボタン１０９ａ〜１０９ｃを介して不揮発性記憶部１０２に記憶させる、という一連の処理ルーチンを実行する。
【０１２５】
情報サービス部１７０は、クライアント装置７０１に送信可能な文書データや他のネットワーク資源を利用するための構成である。また、ホスト装置７０３は、位置検出部１５０を備えている。位置検出部１５０は、観測部１５１、演算部１５２を有し、観測部１５１は、ペン７０２から送信される赤外線受信部の受光結果に基づいてペン７０２がタッチしている点の座標パターンを検出する。検出された座標パターンは、演算部１５２に出力される。演算部１５２は、座標パターンに対して情報図形をデコードする等の演算をしてタッチ点の座標を特定し、座標を文書処理部１６０に送出する。
【０１２６】
文書処理部１６０では、位置検出部１５０から得たタッチ点の座標を、文書応用プログラム１６１の処理指示に応じて処理する。この処理は動作する文書応用プログラムによって多様であるが、例えば、タッチ点に相当する軌跡を、文書データ１０５に追記する処理を行う等が考えられる。この場合、文書処理部１６０は、まず順次得られるタッチ点の座標を一時メモリに蓄え、オペレータによる指示操作に備える。オペレータがクライアント装置７０１上の合成画像を見ながら一連の軌跡を描いた後に、その軌跡を反映させる確定の操作に対応する操作ボタン１０９をタッチすると、ホスト装置７０３では、当該操作が行われたことが判定され、対応する文書応用プログラム１６１が呼び出されて、文書処理部１６０では蓄えられた座標データ列が処理される。この際、文書処理部１６０では、文書応用プログラム１６１での指示に基づき、例えば、タッチ点に相当する軌跡を追記した結果の表示データが生成し、クライアント装置７０１側で生成されたレイヤ画像に代えて表示するよう指示すると共に、クライアント装置７０１に送信する。
【０１２７】
ホスト装置７０３の側で生成された合成画像は、一般的にレイヤ画像を重ねて生成される合成画像よりも高い画像品質を得ることができる。このため、本実施形態は、オペレータの操作性の観点からペン７０２のタッチに即して速やかに線画等を記憶性表示体１０１に表示しながら、表示された画像を後により高い画像品質の合成画像に置き換えることができる。
【０１２８】
なお、ホスト装置７０３で生成された合成画像の画像品質がクライアント装置７０１側で生成された合成画像の画像品質よりも高くできる理由は、ホスト装置側３においては位置検出や画像処理のための構成をより小型、軽量化する要請がクライアント装置７０１よりも低いことが挙げられる。
【０１２９】
以上の構成において、文書処理部１６０は、ホスト側画像描画手段、描画された画像と前記通信手段によって送信される画像データに基づく画像とを合成した合成画像を生成するホスト側画像合成手段、合成画像を、クライアント装置７０１の側でレイヤ画像が表示された後、レイヤ画像に代えて記憶性表示体１０１に表示させる表示制御手段として機能する。
【０１３０】
（駆動方法）  
次に、本実施形態の情報処理システム１０００の動作及び記憶性表示体１０１の駆動について説明する。記憶性表示体１０１の駆動については、図１７を参照する。  
ペン７０２をタッチパネル１８０上に接触させると、ホスト装置７０３、クライアント装置７０１は共に活性化し、通信可能な状態になる。このとき、クライアント装置７０１は、記憶性表示体１０１における画素２０の各配線を駆動回路と電気的に接続する（ステップＳ１１）。図１７のステップＳ１１に示すように、走査線４にローレベル（０Ｖ）が入力され、高電位電源線１３にハイレベル（４Ｖ）、低電位電源線１４にローレベル（０Ｖ）がそれぞれ供給される。これにより、ラッチ回路２５が電源オン状態となり、データ線５から入力される画像データを記憶できる状態となる（ステップＳ１１）。
【０１３１】
その後、クライアント装置７０１は、共通電極２２にローレベル（０Ｖ）を供給する（ステップＳ１２）。共通電極２２にローレベル（０Ｖ）を供給することにより、その後ペン７０２等の入力が有効となる。図１７に示すように、本実施形態においては、ペン７０２による書き込みが有効な期間であるステップＳ１２の期間を、例えば２０〜３０フレーム程度の連続して繰り返される期間となるように設定することが好ましい。
【０１３２】
ホスト装置７０３は、ペン７０２がタッチパネル１８０に接触されたことを検出し、これに基づいて接触位置の座標を示す座標データ（位置情報）を生成する。ホスト装置７０３は、この座標データを新たな表示データ１０４として、クライアント装置７０１に送信する。この表示データ１０４に基づく画像信号には、タッチパネル信号が含まれる。この表示データ１０４は、接触位置の座標に対応する画素電極２１にはハイレベル（４Ｖ）の電位を入力し、その他の画素電極２１にはローレベル（０Ｖ）の電位を入力するデータとなっている。
【０１３３】
また、ペン７０２による接触位置が移動する場合、ホスト装置７０３は、演算部１５２によって検出された座標に基づき、タッチパネル１８０上の接触位置の移動方向（位置情報の軌跡の方向）を検出する。このとき、移動方向としては、走査線４の配列方向（本実施形態では上下方向）の２方向のうちいずれであるかを検出する。ホスト装置７０３は、移動方向を検出した後、当該移動方向に関するデータをクライアント装置７０１に送信する。
【０１３４】
クライアント装置７０１は、送信された表示データ１０４を記憶性表示体１０１に入力する。この結果、接触位置の座標に対応するメモリ回路２５と接続されたデータ線５にはハイレベルの信号が入力され、その他のデータ線５にはローレベルの信号が入力される。この状態で走査信号が入力されると、接触位置の座標に対応する画素電極２１には第２制御線１２が接続され、ハイレベルが入力される。また、他の画素電極２１には第１制御線１１が接続され、ローレベルが入力される。
【０１３５】
このとき、クライアント装置７０１は、複数の走査線４に対して、走査線４の配列方向を基準とした接触位置（接触領域）の移動方向（上方向、下方向のどちらか）と同一の方向に順に走査信号を供給するようにする。
【０１３６】
例えば、図１８に示すように、タッチパネル１８０上でペン７０２を図中上方向に移動させた場合、走査信号を図中下側から上側へ順方向に順に供給させる。この動作により、ペン７０２による接触領域Ｗ２の移動に追従するように当該接触領域Ｗ２の検出及び表示が行われることとなる。
【０１３７】
具体的には、クライアント装置７０１は、走査線駆動回路６のうち図中右側の領域６Ａの４つのスタートパルス入力端子２４０にスタートパルスを入力する。クライアント装置７０１は、走査線駆動回路６の複数のスタートパルス入力端子２４０のうち、タッチパネル１８０上に最初に接触される接触領域Ｗ２に対応する走査線４に最も近い位置であって、接触領域Ｗ２よりも移動方向の上流側に設けられるスタートパルス入力端子２４０にスタートパルスを入力する。図１８では、例えば下から２番目のスタートパルス入力端子２４０にスタートパルスを入力する。
【０１３８】
また、上記走査信号の入力を行う際、図１８に示すように、複数本の走査線４（図１８では８本の走査線）に対して同時に走査信号を入力することが好ましい。本実施形態では、走査線駆動回路６は、順次選択動作を開始させるスタートパルスの入力期間が複数周期に跨るようになっている。したがって、当該スタートパルスの入力期間には複数本の走査線４が選択され、この複数本の走査線４に対して同時に走査信号が入力されることとなる。
【０１３９】
本実施形態では、共通電極２２の電位Ｖｃｏｍがローレベルになっているため、ローレベルが入力された画素電極２１においてはこれらの電気泳動粒子４２、４３の移動は行われない。ハイレベルが入力された画素電極２１においては、黒色粒子４３が共通電極２２側に移動し、白色粒子４２が画素電極２１側に移動する。このため、これまで表示されていた画像に対して、接触領域Ｗ２の軌跡に対応する画素２０に新たに黒表示が書き加えられた状態の画像Ｗ１が表示されることになる。これにより、ペン７０２の接触領域Ｗ２の移動に対する追従性が向上し、記憶性表示体１０１における表示の切り替えがよりスムーズに行われることとなる。その後、図１７のステップＳ１３において、高電位電源線１３の電位を４Ｖから２０Ｖに引き上げ、画像Ｗ１のコントラストを上昇させる。
【０１４０】
一方、例えば図１９に示すように、タッチパネル１８０上でペン７０２を図中右上方向に移動させた場合についても、走査信号を図中下側から上側へ順方向に供給させる。ただし、この場合、図１９に示すように、当該走査線４の配列方向に沿って接触領域Ｗ２を移動させる場合と同様の制御を行うと、画像Ｗ１として入力される領域の幅（移動方向に対して直交する方向の寸法）が大きくなってしまう。つまり、図中上方向に接触領域Ｗ２を移動させた場合の幅Ｌ１よりも、図中右上方向に接触領域Ｗ２を移動させた場合の幅Ｌ２の方が大きくなってしまう。
【０１４１】
そこで、このように走査線４の配列方向に対して傾けた方向に接触領域Ｗ２を移動させる場合には、実際の接触領域Ｗ２に対して縮小された領域Ｗ４の寸法に基づいて、同時に選択する走査線４の本数を調整する。この場合、画像として入力される領域の幅Ｌ２がＬ１と同一の幅になるように、例えばＬ１：Ｌ２＝Ｌ４：Ｌ３となるように領域Ｗ４の寸法を縮小する。縮小された領域Ｗ４の図中上下方向の寸法に基づいて走査線４の本数を調整すると、図１９では例えば５本の走査線４が同時に選択されることになる。このように同時に選択される走査線４の本数を調整することにより、上記画像Ｗ１と同一の幅を有する画像Ｗ３が表示されることとなる。
【０１４２】
なお、例えば接触領域Ｗ２が矩形である場合、接触領域Ｗ２の移動方向が接触領域Ｗ２の対角線の法線方向である場合に画像Ｗ１の寸法が最も大きくなる。この場合、縮小される領域Ｗ４の大きさは最も小さくなる。
【０１４３】
また、図２０に示すように、任意の形状の接触領域Ｗｘについては、平行な２本の直線のそれぞれと少なくとも１点が接するように接触領域Ｗｘを挟んだ場合において、２本の平行な直線間の距離が最も大きくなるときの当該２本の直線の延在方向に接触領域Ｗｘを移動させた場合、画像として表示される軌跡の幅が最も大きくなる（Ｌｍａｘ）。逆に、２本の平行な直線間の距離が最も小さくなるときの当該２本の直線の延在方向に接触領域Ｗｘを移動させた場合、画像として表示される軌跡の幅は最も小さくなる（Ｌｍｉｎ）。したがって、接触領域Ｗｘの形状が予め画像データ等として判別されている場合には、画像として表示される軌跡の幅が例えば最大値Ｌｍａｘと最小値Ｌｍｉｎとのほぼ中間値になるように接触領域Ｗｘを変形（縮小又は拡大）させ、変形後の領域に基づいて同時選択する走査線４の本数を予め設定しておいても良い。
【０１４４】
また、画像として表示される軌跡の幅を敢えて異ならせるため接触領域Ｗ２を縮小又は拡大させないようにしても良いし、接触領域Ｗ２を拡大・縮小するモード、拡大・縮小しないモードを切り替えるようにしても構わない。
【０１４５】
なお、タッチパネル１８０上の接触位置（接触領域）が移動する場合、例えば不図示のバッファに接触位置についての複数の座標データを記憶させ、これらの複数の座標データによって１つの表示データ１０４を生成するようにしても構わない。この場合、複数のデータ線５にまとめてハイレベルが供給されることとなる。当該構成を、複数の走査線４に同時に走査信号を供給する上記の例と組み合わせることにより、一回の走査によって上下左右において複数ラインの範囲を一度に書き換えることができるため、書き換えのタイムラグを極力短縮することができ、よりリアルタイムに表示を書き換えることができる。同時にハイレベルを供給するデータ線５の本数は、例えば同時に走査信号を供給する走査線４の本数と同一本としても構わないし、異なる本数としても構わない。
【０１４６】
このように、本実施形態によれば、タッチパネル１８０の操作を行う（すなわちタッチパネル１８０に位置情報が入力される）操作入力期間において、複数の走査線４に対して同時に走査信号を供給し、タッチパネル信号をメモリ回路２５に供給することとしたので、タッチパネル信号による表示の書き込みのレスポンスを向上させることができる。また、複数の走査線４のうちタッチパネル１８０上の接触位置又はその近傍の位置に対応する走査線４から走査信号が供給されるので、表示の書き込みのレスポンスを更に向上させることができる。
【０１４７】
また、本実施形態によれば、操作軌跡が走査線４の配列方向に対して傾く場合、走査線４の配列方向と操作軌跡の方向とに応じて、同時に走査信号を供給する走査線の本数を調整することとしたので、操作軌跡の傾きによらず表示状態を一定にすることができる。
【０１４８】
また、本実施形態によれば、ペン７０２による入力を行う際に共通電極２２の電位Ｖｃｏｍをローレベル（０Ｖ）にしておき、タッチパネル１８０の接触位置に対応する画素電極２１にはハイレベルを、それ以外の画素電極２１はローレベルをそれぞれ入力することにより、新たに書き込みを行う部分について選択的にデータ書き込みを行うことができる。これにより、消費電力の低減化を図ることができ、より高速な書き込みを実現することができる。
【０１４９】
また、本実施形態によれば、ペン７０２をタッチパネル１８０上で移動させる場合、当該ペン７０２の移動方向に追従する方向に走査信号を順に供給することとしたので、走査のレスポンスを一層高めることができ、よりリアルタイムに画像を更新することができる。
【０１５０】
なお、情報処理システム１０００に電気泳動表示装置１を搭載した場合において、ペン７０２による入力時に、共通電極２２の電位Ｖｃｏｍをローレベル（０Ｖ）の期間とハイレベル（４Ｖ）の期間とを繰り返す矩形状の基準パルスを複数周期分入力する動作を行うようにしても構わない。
【図面の簡単な説明】
【０１５１】
【図１】電気泳動表示装置の構成図。
【図２】画素の回路構成を示す図。
【図３】電気泳動表示装置の表示部の断面図。
【図４】マイクロカプセルの構成図。
【図５】電気泳動表示装置の駆動方法に係るタイミングチャートを示す図。
【図６】電気泳動素子の動作を説明した図。
【図７】隣接する画素の平面図。
【図８】隣接する画素の平面図。
【図９】電気泳動表示装置の駆動の様子を示す図。
【図１０】電気泳動表示装置の駆動の様子を示す図。
【図１１】電気泳動表示装置の駆動時の信号波形を示す図。
【図１２】本発明に係る電気泳動表示装置を備えた電子機器の一例を示す図。
【図１３】本発明に係る電気泳動表示装置を備えた電子機器の一例を示す図。
【図１４】本発明に係る電気泳動表示装置を備えた電子機器の一例を示す図。
【図１５】本発明の他の実施形態に係る情報処理システムの構成を示す図。
【図１６】本実施形態に係る記憶性表示体の構成を示す図。
【図１７】本発明の他の実施形態に係る記憶性表示体の駆動を示すタイミングチャート。
【図１８】本実施形態に係る記憶性表示体の駆動の様子を示す図。
【図１９】本実施形態に係る記憶性表示体の駆動の様子を示す図。
【図２０】本実施形態に係る記憶性表示体の駆動の様子を示す図。
【符号の説明】
【０１５２】
１…電気泳動表示装置  ２…画素  ３…表示部  ４…走査線  ５…データ線  ６…走査線駆動回路  ７…データ線駆動回路  ８…共通電源変調回路  １０…コントローラ  １１…第１制御線  １２…第２制御線  １３…第１電源線  １４…第２電源線  ２１…画素電極  ２２…共通電極  ２３…電気泳動素子  ２４…駆動用ＴＦＴ  ２５…ＳＲＡＭ  ２８…素子基板  ２９…対向基板  ３５…スイッチ回路  ４０…マイクロカプセル  ４１…分散媒  ４２…白色粒子  ４３…黒色粒子  ４０１…腕時計  ５００…電子ペーパー  ６００…電子ノート  １０１…記憶性表示体  １８０…タッチパネル  ２４０…スタートパルス入力端子  １０００…情報処理システム
【図１】
2010145795.tif 000003
【図２】
2010145795.tif 000004
【図３】
2010145795.tif 000005
【図４】
2010145795.tif 000006
【図５】
2010145795.tif 000007
【図６】
2010145795.tif 000008
【図７】
2010145795.tif 000009
【図８】
2010145795.tif 000010
【図９】
2010145795.tif 000011
【図１０】
2010145795.tif 000012
【図１１】
2010145795.tif 000013
【図１２】
2010145795.tif 000014
【図１３】
2010145795.tif 000015
【図１４】
2010145795.tif 000016
【図１５】
2010145795.tif 000017
【図１６】
2010145795.tif 000018
【図１７】
2010145795.tif 000019
【図１８】
2010145795.tif 000020
【図１９】
2010145795.tif 000021
【図２０】
2010145795.tif 000022